(57)【特許請求の範囲】
【請求項１】
アンテナによる無線通信を処理する機能を有した第１の装置と、バックボーン側の通信網との通信を処理する機能を有した第２の装置とを、通信ケーブルを介して接続した無線通信装置において、
いずれか一方の装置には、試験信号を前記通信ケーブルを介して他方の装置へ送信する送信部と、当該試験信号を増幅する送信アンプと、を備え、
他方の装置には、前記通信ケーブルを介して信号を受信する受信部と、前記通信ケーブルを介して受信した試験信号の受信感度が予め設定された基準受信感度を満たすか否かを判定する判定部と、判定結果を前記一方の装置へ通知する判定結果通知部と、を備え、
更に、前記一方の装置には、通知された判定結果が否定的である場合には送信アンプのゲインを変更するゲイン設定部と、通知された判定結果が肯定的である場合には現時点の送信アンプゲインを前記他方の装置へ通知するゲイン通知部と、を備え、
前記他方の装置には、信号を前記通信ケーブルを介して他方の装置へ送信する送信部と、当該信号を増幅する送信アンプと、通知されたゲインに従って当該送信アンプのゲインを設定するゲイン設定部と、を備えたことを特徴とする無線通信装置。
【請求項２】
アンテナによる無線通信を処理する機能を有した第１の装置と、バックボーン側の通信網との通信を処理する機能を有した第２の装置とを、通信ケーブルを介して接続した無線通信装置において、
いずれか一方の装置には、試験信号を前記通信ケーブルを介して他方の装置へ送信する送信部と、当該試験信号を増幅する送信アンプと、を備え、
他方の装置には、通信ケーブルを介して信号を受信する受信部と、受信した試験信号の受信感度を検出する感度検出部と、検出した受信感度を前記一方の装置へ通知する感度通知部と、を備え、
更に、前記一方の装置には、通知された受信感度が予め設定された基準受信感度を満たすか否かを判定する判定部と、判定結果が否定的である場合には送信アンプのゲインを変更するゲイン設定部と、判定結果が肯定的である場合には現時点の送信アンプゲインを前記他方の装置へ通知するゲイン通知部と、を備え、
前記他方の装置には、信号を前記通信ケーブルを介して他方の装置へ送信する送信部と、当該信号を増幅する送信アンプと、通知されたゲインに従って当該送信アンプのゲインを設定するゲイン設定部と、を備えたことを特徴とする無線通信装置。
【請求項３】
請求項２に記載の無線通信装置において、
前記他方の装置は、前記予め設定された基準受信感度値を保持し、試験に先立って当該基準受信感度値を前記一方の装置へ通知する基準感度通知部を備え、
前記一方の装置は、通知された基準受信感度値に基づいて、判定部が通知された受信感度が当該基準受信感度を満たすか否かを判定することを特徴とする無線通信装置。
【請求項４】
請求項１乃至請求項３のいずれか１項に記載の無線通信装置において、
前記一方の装置では、前記他方の装置への信号を前記送信アンプにより増幅して前記送信部により前記通信ケーブルを介して送信し、前記ゲイン設定部は判定結果が肯定的である場合には現時点のゲインを当該自己の送信アンプゲインに設定することを特徴とする無線通信装置。
【請求項５】
請求項１乃至請求項４のいずれか１項に記載の無線通信装置において、
無線通信装置は、公衆通信網と加入者通信網とを無線接続する無線アクセスシステムの基地局装置又は加入者局装置として用いられ、
前記第１の装置は加入者局装置又は基地局装置とのアンテナによる無線通信を処理する機能を有し、前記第２の装置はバックボーン側の通信網として公衆通信網又は加入者通信網との通信を処理する機能を有していることを特徴とする無線通信装置。
【請求項６】
請求項１乃至請求項５のいずれか１項に記載の無線通信装置において、
前記一方の装置は前記第２の装置であり、前記他方の装置は前記第１の装置であることを特徴とする無線通信装置。
【請求項７】
公衆通信網と加入者通信網とを無線接続する無線アクセスシステムの基地局装置又は加入者局装置において、アンテナによる無線通信を処理する機能を有した屋外ユニットと、バックボーン側の通信網との通信を処理する機能を有した屋内ユニットとを、通信ケーブルを介して接続した構成とし、
いずれか一方のユニットから前記通信ケーブルを介して試験信号を一方のユニットの送信アンプで増幅して送信し、他方のユニットでの当該試験信号の受信感度が所定の基準感度になるように当該試験信号の前記送信アンプのゲインを調整し、
当該試験信号の受信感度が所定の基準感度を満たすときのゲインを、前記他方のユニットの送信アンプのゲインに設定して、前記一方のユニットへ前記通信ケーブルを介して送信する信号を当該ゲインで増幅することを特徴とする送信アンプゲインの設定方法。
【発明の詳細な説明】
【０００１】
【発明が属する技術分野】
本発明は、アンテナによる無線通信を処理する機能を有した装置部分と、バックボーン側の通信網との通信を処理する機能を有した装置部分とに分離し、これら装置部分を通信ケーブルを介して接続した形式の無線通信装置に関し、特に、装置部分に設けられた送信アンプのゲインを通信ケーブルの長さに対応して調整設定する技術に関する。
【０００２】
【従来の技術】
無線通信装置では、アンテナを無線電波の伝播に影響を受けない見通しの良い場所に設置することが要求されるため、アンテナによる無線通信を処理する機能を有した装置部分を他の装置部分から分離して通信ケーブルで接続した構成とし、これによって、アンテナ装置部分を小型軽量化して塔の上やビルの屋上などの高所に設置し易くする必要が生ずる場合がある。
例えば、ＦＷＡ（固定無線アクセス）システムと称せられる無線アクセスシステムでは、基地局や加入者局を構成する無線通信装置を上記のように分離形式とすることが求められている。
【０００３】
無線アクセスシステムはその一例を図７に示すように基地局装置１と各加入者の設置した加入者局装置２との間で無線通信を行うシステムであり、基地局装置１はケーブル３を介して公衆通信網４に接続され、各加入者局装置２は加入者が有するＬＡＮなどの加入者通信網（図示せず）に接続され、基地局装置１と加入者局装置２との無線通信により、加入者通信網の間の通信や加入者通信網と公衆通信網４との間の通信を実現している。
【０００４】
このような無線通信を行う基地局装置１や加入者局装置２は、アンテナ６による無線通信を処理する機能を有した装置部分（以下、ＯＤＵ：屋外ユニットとも称する）７と、公衆通信網や加入者通信網などのバックボーン側の通信網との通信を処理する機能を有した装置部分（以下、ＩＤＵ：屋内ユニットとも称する）８とを通信ケーブル９を介して接続した構成となっており、ＯＤＵ７はビル１０の屋上などの見通しの良い高所に設置してアンテナ６による無線通信を良好にする一方、ＩＤＵ８はビル１０などの屋内に設置して温度変化などの外的要因を受けずまたメンテナンスを行い易いようにしている。
【０００５】
図８には基地局装置１や加入者局装置２を構成する分離形式の無線通信装置の構成を示してあり、ＯＤＵ７には主にアンテナ６を用いた無線通信処理を行う無線部（ＲＦ部）１０が設けられ、ＩＤＵ８にはバックボーン側の通信網とのデータ通信を行う通信部１１や当該無線通信装置全般の制御を行う制御部１２が設けられている。
すなわち、屋外に設置されるＯＤＵ７は無線通信に関わりない機能はでき得るだけ排除して小型軽量化し、設置場所の確保や高所での設置作業を容易にしている。
【０００６】
【発明が解決しようとする課題】
上記のように主に無線通信処理機能を備えた装置部分７と主にバックボーン側との通信処理機能を備えた装置部分８とを通信ケーブル９によって接続した無線通信装置では、当該通信ケーブル９を通して装置部分７、８間で通信を行うが、この通信ケーブル９の長さに応じて送信アンプのゲインを調整しなければならない。
【０００７】
例えばＯＤＵ７の設置位置が高いとか遠いとか言う無線通信装置の設置場所に応じて、通信ケーブル９の長さは例えば１ｍ〜３００ｍと言ったように一応ではないため、通信ケーブル９の長さが異なることによって伝播損失が異なり、これら装置部分間での通信で初期の受信感度が得られないことになってしまう。このため、通信ケーブル９の長さに応じて、通信ケーブル９を通した通信に用いる送信アンプのゲインを調整しなければならない。
なお、製造誤差などによりＩＤＵ７の元々の受信感度自体も一様ではないため、このような通信ケーブルの長さの相違以外の理由でも、送信アンプのゲインを調整しなければならない。
【０００８】
これに対して、従来では、無線通信装置の設置作業に際して、作業者がテスターなどを用いて装置部分間での受信感度を測定し、送信アンプのゲインを調整していたが、このような設置場所での人手作業はきわめて煩雑なものであった。
また、無線アクセスシステムのようにＯＤＵ７は屋外に設置し、ＩＤＵ８は屋内に設置するような場合には、ＩＤＵ８は温度環境を管理することができるが、屋外のＯＤＵ７は季節などに応じて温度環境が変化してしまう。通信ケーブル９を介した通信の受信感度はこのような温度変化によっても変化してしまうため、初期の受信感度を維持するためには上記のように煩雑なゲイン調整作業を設置後も繰り返し行わなければならなかった。
【０００９】
本発明は上記従来の事情に鑑みなされたもので、送信アンプのゲインを自動的に調整して、煩雑な作業を行うことなく、通信ケーブルを通した装置部分間での良好な通信を実現する無線通信装置及びゲイン設定方法を提供することを目的としている。
また、本発明は、無線アクセスシステムに適用して好適な無線通信装置及びゲイン設定方法を提供することを目的としている。
なお、本発明の更なる目的は以下の説明において明らかなところである。
【００１０】
【課題を解決するための手段】
本願の請求項１の発明は、アンテナによる無線通信を処理する機能を有した第１の装置と、バックボーン側の通信網との通信を処理する機能を有した第２の装置とを、通信ケーブルを介して接続した無線通信装置において、いずれか一方の装置には、試験信号を前記通信ケーブルを介して他方の装置へ送信する送信部と、当該試験信号を増幅する送信アンプと、を備え、他方の装置には、前記通信ケーブルを介して信号を受信する受信部と、前記通信ケーブルを介して受信した試験信号の受信感度が予め設定された基準受信感度を満たすか否かを判定する判定部と、判定結果を前記一方の装置へ通知する判定結果通知部と、を備え、更に、前記一方の装置には、通知された判定結果が否定的である場合には送信アンプのゲインを変更するゲイン設定部と、通知された判定結果が肯定的である場合には現時点の送信アンプゲインを前記他方の装置へ通知するゲイン通知部と、を備え、前記他方の装置には、信号を前記通信ケーブルを介して他方の装置へ送信する送信部と、当該信号を増幅する送信アンプと、通知されたゲインに従って当該送信アンプのゲインを設定するゲイン設定部と、を備えたことを特徴とする。
【００１１】
例えば、第２の装置（ＩＤＵ）を一方の装置とし、第１の装置（ＯＤＵ）を他方の装置として、ＩＤＵから試験信号を送信アンプで増幅してＯＤＵへ通信ケーブルを通して送信し、ＯＤＵではこの試験信号の受信感度を初期の受信感度（基準受信感度）を満たすか否かを判定してその判定結果を通信ケーブル或いは他の手段によってＩＤＵへ通知する。そして、ＩＤＵでは、基準受信感度を満たさない内容の判定定結果である場合には送信アンプのゲインを変更して試験信号の送信を繰り返して行い、基準受信感度を満たす内容の判定結果である場合には現時点の送信アンプゲインをＯＤＵへ通知して、ＯＤＵの送信アンプのゲインを当該通知したゲインに基づいて設定させる。
【００１２】
したがって、ＯＤＵ側で初期の受信感度が得られるＩＤＵ側の送信アンプゲインをＯＤＵ側の送信アンプゲインに設定する処理が、試験信号の送信によって自動的に実行される。通信ケーブルが同軸ケーブルであれば略全く同じ、通信ケーブルが上りと下りとで分けられていても長さとしては略同じであるので、ＩＤＵ側の送信アンプの最適なゲインをＯＤＵ側の送信アンプゲインにも設定すれば、これによる通信によって初期の受信感度を得ることができる。
なお、請求項１の発明では、上記の第１の装置（ＯＤＵ）と第２の装置（ＩＤＵ）との関係を逆にしても同様であるが、ＯＤＵは小型軽量であるのが好ましいので、請求項６の発明のように試験信号の発生などと言った本来の通信に必要のない機能はＩＤＵ側に設けるのが好ましい。
【００１３】
また、請求項２の発明は、上記と同様に第１の装置と第２の装置とを通信ケーブルで接続した形式の無線通信装置において、いずれか一方の装置には、試験信号を前記通信ケーブルを介して他方の装置へ送信する送信部と、当該試験信号を増幅する送信アンプと、を備え、他方の装置には、通信ケーブルを介して信号を受信する受信部と、受信した試験信号の受信感度を検出する感度検出部と、検出した受信感度を前記一方の装置へ通知する感度通知部と、を備え、更に、前記一方の装置には、通知された受信感度が予め設定された基準受信感度を満たすか否かを判定する判定部と、判定結果が否定的である場合には送信アンプのゲインを変更するゲイン設定部と、判定結果が肯定的である場合には現時点の送信アンプゲインを前記他方の装置へ通知するゲイン通知部と、を備え、前記他方の装置には、信号を前記通信ケーブルを介して他方の装置へ送信する送信部と、当該信号を増幅する送信アンプと、通知されたゲインに従って当該送信アンプのゲインを設定するゲイン設定部と、を備えたことを特徴とする。
【００１４】
すなわち、請求項２の発明では、請求項１の発明において第１の装置（ＯＤＵ）側にもたせていた受信感度の判定機能を第２の装置（ＩＤＵ）側にもたせたものであり、これによって、第１の発明と同等なゲイン設定処理を行うことができるとともに、第１の装置（ＯＤＵ）をより簡素な構成として小型軽量化できるようにしている。
なお、請求項２の発明及び下記の請求項３乃至５の発明では、上記の第１の装置（ＯＤＵ）と第２の装置（ＩＤＵ）との関係を逆にしても同様であるが、ＯＤＵは小型軽量であるのが好ましいので、請求項６の発明のように、試験信号の発生や受信感度の判定などと言った本来の通信に必要のない機能はＩＤＵ側に設けるのが好ましい。
【００１５】
更に、請求項３の発明では、上記請求項２の発明において、前記他方の装置は、前記予め設定された基準受信感度値を保持し、試験に先立って当該基準受信感度値を前記一方の装置へ通知する基準感度通知部を備え、前記一方の装置は、通知された基準受信感度値に基づいて、判定部が通知された受信感度をが当該基準受信感度を満たすか否かを判定することを特徴とする。
すなわち、第１の装置（ＯＤＵ）の基準受信感度は当該装置固有の値として製造時などに設定しておき、ゲイン設定処理に際して、第１の装置（ＯＤＵ）が自らの基準受信感度を判定処理を行う第２の装置（ＩＤＵ）へ通知するようにしている。
【００１６】
更に、請求項４の発明では、上記の請求項１乃至３の発明において、前記一方の装置では、前記他方の装置への信号を前記送信アンプにより増幅して前記送信部により前記通信ケーブルを介して送信し、前記ゲイン設定部は判定結果が肯定的である場合には現時点のゲインを当該自己の送信アンプゲインに設定することを特徴とする。
すなわち、ＯＤＵ側で初期の受信感度が得られるＩＤＵ側の送信アンプゲインを、ＯＤＵ側の送信アンプゲインに設定するだけでなく、ＩＤＵ自らの送信アンプゲインにも設定し、上り下りの両方向での送信アンプゲインを最適なものに自動設定する。
【００１７】
更に、請求項５の発明では、上記の請求項１乃至４の発明において、無線通信装置は、公衆通信網と加入者通信網とを無線接続する無線アクセスシステムの基地局装置又は加入者局装置として用いられ、前記第１の装置は加入者局装置又は基地局装置とのアンテナによる無線通信を処理する機能を有し、前記第２の装置はバックボーン側の通信網として公衆通信網又は加入者通信網との通信を処理する機能を有していることを特徴とする。
すなわち、無線アクセスシステムで、高所などといった作業が困難な場所に設置されるＯＤＵの送信アンプゲインを自動的に最適値に設定することができる。
【００１８】
また、本発明は、公衆通信網と加入者通信網とを無線接続する無線アクセスシステムの基地局装置又は加入者局装置において、アンテナによる無線通信を処理する機能を有した屋外ユニットと、バックボーン側の通信網との通信を処理する機能を有した屋内ユニットとを、通信ケーブルを介して接続した構成とし、いずれか一方のユニットから前記通信ケーブルを介して試験信号を送信アンプで増幅して送信し、他方のユニットでの試験信号の受信感度が所定の基準感度になるように当該試験信号の送信アンプゲインを調整し、当該試験信号の受信感度が所定の基準感度を満たすときのゲインを、前記他方のユニット送信アンプのゲインに設定して、前記一方のユニットへ前記通信ケーブルを介して送信する信号を当該ゲインで増幅することを特徴とする送信アンプゲインの設定方法である。
【００１９】
【発明の実施の形態】
本発明に係る無線通信装置及びその送信アンプゲインの設定方法を実施例に基づいて具体的に説明する。
なお、以下に示す実施例は、無線アクセスシステムにおいて、主にアンテナによる無線通信機能を有する第１の装置をＯＤＵとし、主に加入者側のＬＡＮなどのバックボーン通信網との通信機能を有する第２の装置をＩＤＵとしたものであり、大まかな構成は図７及び図８に示したものと同様であるのでこれら図面を適宜参照して説明する。また、以下に示す実施例は基地局装置１に適用したものであるが、加入者局装置２に適用してもバックボーン通信網が異なるだけで他は同じである。
【００２０】
図１には本発明の第１実施例に係る基地局装置１の構成を示してあり、ＯＤＵ７とＩＤＵ８とは同軸ケーブル９によって接続されている。ＯＤＵ７とＩＤＵ８とは同軸ケーブル９によって音声情報、画像情報、テキスト情報などの送信対象情報の通信を行うが、ＯＤＵ７とＩＤＵ８との間の制御に係る情報（すなわち、通知や命令など）も通信する。
【００２１】
ＯＤＵ７は、アンテナ６による無線通信処理を行うＲＦ部１０の他に、通信ケーブル９を通してＩＤＵ８から送信されてきた信号を受信処理する受信部１５、受信部１５における受信感度を検出する感度検出部１６、ＯＤＵ７が有すべき受信感度（ＰＤＥＴ）として予め設定された基準受信感度値を保持するＰＤＥＴ記憶部１７、感度検出部１６が検出した受信感度値がＰＤＥＴ記憶部１７に保持された基準受信感度値と一致（或いは、許容できる範囲内）か否かを比較判定する判定部１８、ＲＦ部１０からの信号を通信ケーブル９を通してＩＤＵ８へ送信する送信部１９、送信部１９によって送信する信号を増幅する送信アンプ２０、送信アンプ２０のゲインを設定するゲイン設定部２１、これらＯＤＵ７の各機能部を統括制御するとともにＩＤＵ８側の制御部（ＭＰＵ）３０と通信ケーブル９を通して通知や制御情報の通信を行う制御部（ＭＰＵ）２２を有している。
なお、受信部１５で受信処理した信号は試験信号を除いてＲＦ部１０によってアンテナ６から無線送信される。
【００２２】
ＩＤＵ８は、ケーブル３で接続された公衆通信網との通信を処理する通信部１１の他に、通信ケーブル９を通してＯＤＵ７から送信されてきた信号を受信処理する受信部２５、公衆通信網からの信号を通信ケーブル９を通してＯＤＵ７へ送信する送信部２６、送信部２６によって送信する信号を増幅する送信アンプ２７、送信アンプ２７のゲインを設定するゲイン設定部２８、ゲイン設定処理に際して送信部２６から送信する試験信号を発生する試験信号発生部２９、これらＩＤＵ８の各機能部を統括制御するとともにＯＤＵ７側の制御部（ＭＰＵ）２２と通信ケーブル９を通して通知や制御情報の通信を行う制御部（ＭＰＵ）３０を有している。
なお、受信部２５で受信処理した信号は試験信号を除いて通信部１１によって公衆通信網へ送信される。
【００２３】
次に、上記構成の基地局装置１により実施される送信アンプゲインの設定方法を図２を参照して説明する。なお、このゲイン設定処理は基地局装置１を設置したときに初期設定として行われるが、制御部２２、３０による制御の下に定期的或いは不定期に行うようにしてもよい。
まず、ＩＤＵ８のゲイン設定部２８には工場出荷時に初期値（本例では１０ｄＢｍ）としての送信アンプ２７のゲイン（ＧＴＡ）が設定記憶されており、信号発生部２９が発生した試験信号を送信アンプ２７が当該初期ゲインで増幅して、送信部２６が通信ケーブル９を通してＯＤＵ７へ送信する。
【００２４】
ＯＤＵ７では試験信号を受信部１５で受信し、その受信感度（ＰＤＥＴ）を検出部１６が検出し、判定部１８がＰＤＥＴ記憶部１７に記憶されている基準受信感度と検出された受信感度とを比較して、試験信号の受信感度が基準受信感度を満たすか否かを判定し、この判定結果が基準受信感度を満たすときには肯定的な通知（ＡＣＫ）を、判定結果が基準受信感度を満たさないときには否定的な通知（ＮＡＫ）を制御部２２が通信ケーブル９を通してＩＤＵ側の制御部３０へ送信する。
【００２５】
そして、ＩＤＵ８では否定的な通知（ＮＡＫ）を受信すると、ゲイン設定部２８がゲイン（ＧＴＡ）をステップ的に（本例では１ｄＢｍ）増大させ、信号発生部２９が発生した試験信号を送信アンプ２７が当該増大されたゲインで増幅して、送信部２６が通信ケーブル９を通してＯＤＵ７へ送信する。
この後は、ＯＤＵ７が上記と同様な試験信号の受信に基づく処理を行い、判定部１８の判定結果に基づいて肯定的な通知（ＡＣＫ）が得られるまで、ＩＤＵ８は送信アンプ２８のゲインを徐々に増大させて試験信号の送信を繰り返し行う。
【００２６】
そして、ＩＤＵ８が肯定的な通知（ＡＣＫ）を受信すると、その時点でのゲイン（本例では２０ｄＢｍ）をゲイン設定部２８が自己の送信アンプ２７のゲインに設定するとともに、制御部３０が当該ゲイン値を含んだ設定通知をＯＤＵ７の制御部２２へ送信する。ＯＤＵ７の制御部２２は当該設定通知に応答し、ゲイン設定部２１が通知されたゲイン値（２０ｄＢｍ）を自己の送信アンプ２０のゲインに設定保持する。
すなわち、通信ケーブル９を通したＩＤＵ８からＯＤＵ７への上り通信に用いられるＩＤＵ側の送信アンプ２７のゲイン、及び、通信ケーブル９を通したＯＤＵ７からＩＤＵ８への下り通信に用いられるＯＤＵ側の送信アンプ２０のゲインが、受信側装置で初期の受信感度が得られる同じ値に自動設定される。
【００２７】
図３には本発明の第２実施例に係る基地局装置１の構成を示してあり、第１実施例と同様にＯＤＵ７とＩＤＵ８とは同軸ケーブル９によって接続されている。
なお、第１実施例と同様な部分は同一符号を付して重複する説明は省略する。
本例の基地局装置１は、第１実施例に比べて、ゲイン設定に係るＯＤＵ７側の機能を簡素化して、ＯＤＵ７をより小型軽量化可能にしたものであり、基準受信感度の保持機能や受信感度の判定機能をＩＤＵ８に設けている。
【００２８】
すなわち、ＯＤＵ７側では、受信部１５で受信した試験信号の受信感度を検出部１６で検出し、当該受信感度値を判定することなく制御部２２がＩＤＵ８の制御部３０へ送信する。
一方、ＩＤＵ８には、ＯＤＵ７が有すべき受信感度（ＰＤＥＴ）として予め設定された基準受信感度値を保持するＰＤＥＴ記憶部３３と、ＯＤＵ７から通知された検出受信感度値がＰＤＥＴ記憶部３３に保持された基準受信感度値と一致（或いは、許容できる範囲内）か否かを比較判定する判定部３４とが備えられている。
【００２９】
次に、第２実施例の基地局装置１により実施される送信アンプゲインの設定方法を図４を参照して説明する。なお、このゲイン設定処理は基地局装置１を設置したときに初期設定として行われるが、制御部２２、３０による制御の下に定期的或いは不定期に行うようにしてもよい。
まず、ＩＤＵ８のゲイン設定部２８に設定記憶された初期値ゲイン（本例では１０ｄＢｍ）で、信号発生部２９が発生した試験信号を送信アンプ２７が増幅して送信部２６が通信ケーブル９を通してＯＤＵ７へ送信する。
【００３０】
ＯＤＵ７では試験信号を受信部１５で受信し、その受信感度（ＰＤＥＴ）を検出部１６が検出し、この検出した受信感度値を制御部２２が通信ケーブル９を通してＩＤＵ側の制御部３０へ送信する。
ＩＤＵ８では検出受信感度値を受信すると、判定部３４がＰＤＥＴ記憶部３３に記憶されている基準受信感度とＯＤＵ側で検出された試験信号の受信感度とを比較して、試験信号の受信感度が基準受信感度を満たすか否かを判定する。
【００３１】
そして、判定結果が否定的なとき（基準受信感度を満たさないとき）には、ゲイン設定部２８がゲインを少し（本例では１ｄＢｍ）増大させ、信号発生部２９が発生した試験信号を送信アンプ２７が当該増大されたゲインで増幅して、送信部２６が通信ケーブル９を通してＯＤＵ７へ送信する。
この後は、ＯＤＵ７が上記と同様な試験信号の受信に基づく検出及び通知処理を行い、判定部３４の判定結果が肯定的（基準受信感度を満たす）になるまで、ＩＤＵ８は送信アンプ２８のゲインを徐々に増大させて試験信号の送信を繰り返し行う。
【００３２】
そして、ＩＤＵ８側での判定結果が肯定的となると、その時点でのゲイン（本例では２０ｄＢｍ）をゲイン設定部２８が自己の送信アンプ２７のゲインに設定するとともに、制御部３０が当該ゲイン値を含んだ設定通知をＯＤＵ７の制御部２２へ送信し、ＯＤＵ７の制御部２２は当該設定通知に応答して、ゲイン設定部２１が通知されたゲイン値（２０ｄＢｍ）を自己の送信アンプ２０のゲインに設定保持する。
すなわち、通信ケーブル９を通した上り通信に用いられる送信アンプ２７のゲイン、及び、通信ケーブル９を通した下り通信に用いられる送信アンプ２０のゲインが、受信側装置で初期の受信感度が得られる同じ値に自動設定される。
【００３３】
図５には本発明の第３実施例に係る基地局装置１の構成を示してあり、第１実施例や第２実施例と同様にＯＤＵ７とＩＤＵ８とは同軸ケーブル９によって接続されている。なお、第１実施例や第２実施例と同様な部分は同一符号を付して重複する説明は省略する。
本例の基地局装置１は、第２実施例と同様に受信感度の判定機能をＩＤＵ８に設けて簡素化したものであるが、基準受信感度の保持機能はＯＤＵ８に設けて、ＯＤＵ装置固有に設定された基準受信感度を判定に用いるようにしている。
【００３４】
すなわち、ＯＤＵ７側では、ＰＤＥＴ記憶部１７にＯＤＵ７が有すべき受信感度（ＰＤＥＴ）として予め設定された基準受信感度値を保持しているが、ゲイン設定処理に先立って制御部２２が通信ケーブル９を通してＩＤＵの制御部３０に当該基準受信感度値を送信し、また、ゲイン設定処理においては、受信部１５で受信した試験信号の受信感度を検出部１６で検出し、当該受信感度値を判定することなく制御部２２がＩＤＵの制御部３０へ送信する。
一方、ＩＤＵ８には、ＯＤＵ７から通知された基準受信感度値を少なくともゲイン設定が終了するまで保持するＰＤＥＴ記憶部３５が備えられており、ＯＤＵ７から通知された検出受信感度値がＰＤＥＴ記憶部３５に保持した基準受信感度値と一致（或いは、許容できる範囲内）か否かを判定部３４が比較判定する。
【００３５】
次に、第３実施例の基地局装置１により実施される送信アンプゲインの設定方法を図６を参照して説明する。なお、このゲイン設定処理は基地局装置１を設置したときに初期設定として行われるが、制御部２２、３０による制御の下に定期的或いは不定期に行うようにしてもよい。
まず、ゲイン設定処理を開始するに先立って、ＯＤＵ７がＰＤＥＴ記憶部１７に記憶された基準受信感度値をＩＤＵ８へ通知し、当該基準受信感度値をＩＤＵのＰＤＥＴ記憶部３５に保持する。
【００３６】
この後のゲイン設定処理は第２実施例と同様に行われ、送信アンプ２７が初期値ゲインで増幅した試験信号をＩＤＵ８から通信ケーブル９を通してＯＤＵ７へ送信し、ＯＤＵ７では試験信号の受信感度を検出部１６で検出して、この検出受信感度値を制御部２２が通信ケーブル９を通してＩＤＵ側の制御部３０へ送信し、ＩＤＵ８では検出受信感度値を判定部３４がＰＤＥＴ記憶部３５に保持した基準受信感度と比較して、試験信号の受信感度が基準受信感度を満たすか否かを判定する。そして、判定結果が否定的なときには、判定結果が肯定的になるまで、ＩＤＵ８は送信アンプ２８のゲインを徐々に増大させて試験信号の送信を繰り返し行い、判定結果が肯定的になった時点でのゲインをゲイン設定部２８が自己の送信アンプ２７のゲインに設定するとともに、制御部３０が当該ゲイン値を含んだ設定通知をＯＤＵ７の制御部２２へ送信して、ＯＤＵ７のゲイン設定部２１が通知されたゲイン値を自己の送信アンプ２０のゲインに設定保持する。
【００３７】
なお、上記の実施例では検出した受信感度が基準受信感度より小さい場合を例にとって説明したが、検出された受信感度が基準受信感度より大きい場合には、送信アンプ２８のゲインを徐々に減少させて、基準受信感度を満たすときのゲインを送信アンプ２０及び送信アンプ２７のゲインに設定すればよい。
【００３８】
【発明の効果】
以上説明したように、本発明によると、煩雑な作業を行うことなく、送信アンプのゲインを自動的に最適値に調整設定することができ、通信ケーブルを通した装置部分間での良好な通信を実現することができる。
また、本発明によると、無線アクセスシステムでは高所に設置される必要があるＯＤＵが小型軽量化され、無線アクセスシステムに用いられる基地局装置や加入者局装置の設置作業が容易となる。
【図面の簡単な説明】
【図１】  本発明の第１実施例に係る基地局装置の構成図である。
【図２】  本発明の第１実施例に係るゲイン設定処理を説明するチャート図である。
【図３】  本発明の第２実施例に係る基地局装置の構成図である。
【図４】  本発明の第２実施例に係るゲイン設定処理を説明するチャート図である。
【図５】  本発明の第１実施例に係る基地局装置の構成図である。
【図６】  本発明の第１実施例に係るゲイン設定処理を説明するチャート図である。
【図７】  無線アクセスシステムを説明するシステム構成図である。
【図８】  従来の基地局装置の構成図である。
【符号の説明】
１：基地局装置、  ２：加入者局装置、
６：アンテナ、  ７：屋外ユニット（ＯＤＵ）、
８：屋内ユニット（ＩＤＵ）、  ９：通信ケーブル、
１０：無線部（ＲＦ部）、  １５：ＯＤＵ受信部、
１６：受信感度検出部、  １７：ＯＤＵ基準受信感度記憶部、
１８：ＯＤＵ受信感度判定部、  ２０：ＯＤＵ送信アンプ、
２１：ＯＤＵゲイン設定部、  ２７：ＩＤＵ送信アンプ、
２８：ＩＤＵゲイン設定部、  ２９：試験信号発生部、
３３：ＩＤＵ基準受信感度記憶部、  ３４：ＩＤＵ受信感度判定部、
【図１】
0004545921.tif 000002
【図２】
0004545921.tif 000003
【図３】
0004545921.tif 000004
【図４】
0004545921.tif 000005
【図５】
0004545921.tif 000006
【図６】
0004545921.tif 000007
【図７】
0004545921.tif 000008
【図８】
0004545921.tif 000009